(57)【要約】【課題】従来の電子商取引機能を有する電子書籍並びにコンピュータネットワークを利用した広告効果測定方法は、システム上の手間、広告を公平に推薦できない又は測定できない、顧客にサービスや情報を上手く伝えられないという問題があった。これは広告などに直接アイディーや識別番号を付けたり、電子書籍を読む意外でもビューアを使用するといったことで起こる問題点である。【解決手段】発行物などにアプリケーションなどを単体または付属という形で付け、そこから購入フォームをダウンロードする。フォームには広告を選ぶ欄を設ける。そうすることでいかなる情報も公平に選ぶ事が出来、顧客へのサービスにも支障をきたさないのである。【選択図】図２
2006221592.tif 000002
【特許請求の範囲】
【請求項１】
電子書籍又はその他出版物、発行物など（以下出版物とする）をインターネット上でダウンロードする際にその出版物に記載されている広告、情報に対する購買システムを有したアプリケーションを一緒に取り込むことが可能である。また、出版物に直接ユーアールエルを書き込んでおき、そこからその出版物の中に記載されている広告、情報に対する購買システムを有したホームページに行くことを可能とする。電子書籍を見て、アプリケーションを取り込むことやホームページに行くことにより、顧客は商品やサービスに関する情報を見ること、と購入申告またはサービスを受けるための必要なデータを入力することにより、製品やサービスを購入する、またはサービスを受けることができる。デジタル製品の場合には、ユーザは、購入した製品を直接に購入した会社のビューアを使いダウンロードすることができる。
【請求項２】
請求項１の方法において、アプリケーションやホームページに顧客が入り、顧客自身が購入申告のフォームをダウンロードし、送ることにすると、そのフォーム中にどの広告媒体からきたのか判るように選ばせ、それと関連付けて売上情報を記録するソフトと、記録された売上情報を各広告媒体の名前に対応させて広告媒体ごとに集計するソフトとを有する商品等販売装置、広告効果測定方法、印刷物、広告効果測定装置又はコンピュータプログラム、アフィリエイト広告効果測定方ができる。
【発明の詳細な説明】
【技術分野】
【０００１】  本発明は、電子商取引機能を有する電子書籍並びにコンピュータネットワークを利用した広告効果測定方法に関する。
【背景技術】
【０００２】  従来の電子商取引機能を有する電子書籍には、独自のビューアを使い商取引を行おうと考えたものがある。（例えば、特許文献１参照。）
また、広告媒体毎に異なる識別記号を記載した商品広告を扱いアフィリエイト広告効果測定を考えたものがある。（例えば、特許文献２参照。）【０００３】【以下、特許文献１、特許文献２により従来の電子商取引機能を有する電子書籍並びにコンピュータネットワークを利用したアフィリエイト広告効果測定方法の説明をする。特許文献１は電子書籍を用いて電子商取引を提供する方法であって、電子書籍を表示するステップと、前記電子書籍と関連して製品又はサービスのＩＤを与えるステップと、前記製品又はサービスに関する顧客の選択と前記選択された製品又はサービスを購入するリクエストとを受信するステップと、トランザクションを処理して前記購入リクエストを実行するステップと、を含むことを特徴とする方法。前文記載の方法において、特定の製品又はサービスに関する情報を求めるリクエストを前記顧客から受信するステップと、前記特定の製品又はサービスに関する情報を前記リクエストに応答して表示するステップと、を更に含むことを特徴とする方法でもある。また、これは電子書籍を表示し電子商取引を提供するビューワである。電子書籍をみることと共に、ユーザは、商品やサービスに関する情報を見ること、オンライン電子カタログを見ること、購入のために入手可能な商品のサンプルを受け取ることが可能である。ユーザは、購入リクエストを入力することにより、製品やサービスを購入することができる。デジタル製品の場合には、ユーザは、購入のした製品を直接にビューワにダウンロードすることができる。また、ビューワは、購入及び情報リクエストに関する統計を記録することにより、関連する製品又はサービスを推薦し、特定のタイプの広告をユーザに送ることができる。【０００４】  特許文献２は広告媒体毎に異なる識別記号を記載した商品広告を雑誌等の広告媒体に出稿するステップと、ネットワークに接続したウェブサーバにおいて顧客端末から前記識別記号を受信したことを条件に購入申込に必要なウェブページのファイルを顧客端末に送信し、顧客端末から購入申込を受信したときに前記識別記号若しくは対応する広告媒体に関連付けて売上情報を記録するステップと、記録された売上情報を前記識別記号毎若しくは対応する広告媒体毎に集計するステップとを有する広告効果測定法。また、前期識別記号が、広告媒体毎に異なるウェブページファイルの呼び出しを行えるユーアールエルに対応した記号であることを特徴とする商品販売装置、広告効果測定方法、印刷物、広告効果測定装置又はコンピュータプログラムである。
【特許文献１】特開平１５−５２３５０６
【特許文献２】特開平１５−２５６６０７
【発明の開示】
【発明が解決しようとする課題】
【０００５】    以上に述べた従来の電子商取引機能を有する電子書籍は電子商取引を提供するビューワを別に製作するため、機種によっては見ることが出来ない、見え方が変わる、取得するデジタル商品によってはビューワが変わることによって取得できないなどの問題点がある。また電子書籍と関連して製品又はサービスのアイディーを与えるステップを踏まないといけないという手間と特定の製品又はサービスに関する情報を求めるリクエストを顧客が出し、それに応答するというものだがそのシステムだと顧客が情報を多数求めるときに何回もリクエストを出さないといけない、他の広告や情報を推薦しにくい、また具体的に商品を説明してない広告や情報も推薦しにくいという問題点がある。加えて以上に述べた従来のコンピュータネットワークを利用したアフィリエイト広告効果測定方法では顧客端末から前記識別記号を受信したことを条件に購入申込に必要なウェブページのファイルを顧客端末に送信し、顧客端末から購入申込を受信したときに前記識別記号若しくは対応する広告媒体に関連付けて売上情報を記録するものだが、広告や情報は具体的に商品を説明する広告もあるが、そうでないものもある。そうでない広告はアフィリエイト広告効果測定方法に入らないという問題点、またはすべての受信者に購入申告に必要なウェブページのファイルを送ってしまうため情報を欲しかっただけの顧客にも送ってしまうという問題点がある。また、前期識別記号が広告媒体毎に異なるウェブページファイルの呼び出しを行えるユーアールだと、ウェブページが異なっているためやはり商品説明を直接行っていない広告や情報が不利になってしまうという問題点がある。【０００６】  本発明はこのような従来の問題を解決しようとするものであり、すべての顧客のための使いやすさ、すべての広告や情報に関係させられる商取引機能を有する電子書籍並びにアフィリエイト広告効果測定方法を実現することを目的とするものである。
【課題を解決させるための手段】
【０００７】  そして本発明は上記目的を達成するために電子書籍又はその他出版物、発行物など（以下出版物とする）をインターネット上でダウンロードする際にその出版物に記載されている広告、情報に対する購買システムを有したアプリケーションを一緒に取り込むことを可能とする。また、出版物に直接ユーアールエルを書き込んでおくか別に書いておき、そこからその出版物の中に記載されている広告、情報に対する購買システムを有したホームページに行くことを可能とする。電子書籍を見て、アプリケーションを取り込むことやホームページに行くことにより、顧客は商品やサービスに関する情報を見ること、と購入申告またはサービスを受けるための必要なデータを入力することにより、製品やサービスを購入する、またはサービスを受けることができる。デジタル製品の場合には、ユーザは、購入した製品を直接に購入した会社のビューアを使いダウンロードすることができる。
【０００８】  また、第２の課題解決手段は上記の第１の課題解決手段方法において、アプリケーションやホームページに顧客が入り、顧客自身が購入申告のフォームをダウンロードし、送ることにすると、そのフォーム中にどの広告媒体からきたのか判るように選ばせ、それと関連付けて売り上げ情報を記録するソフトと、記録された売上情報をその顧客が選んだ広告名に対応させて広告媒体ごとに集計するソフトとを有する広告効果測定方かできる。また、そのアプリケーションやホームページは関連する広告や情報をより詳しく説明、アピールできるものである。
【０００９】  上記第１の課題解決手段による作用は次の通りである。すなわち、電子書籍やその他、出版物、発行物に対する電子商取引機能をビューアではなくアプリケーションとして付けることによって、今現在ビューアを通して提供される商品やサービスを妨げないことが出来るまたは機種によっては見ることが出来ない、見え方が変わるなどの問題点も解決することが出来る。またアイディーを特定の製品又はサービスに与え、その製品又はサービスに関する情報を求めるリクエストを顧客が出し、それに応答するというものだが上記第１の課題解決手段は特定の製品又はサービスにではなく、電子書籍やその他発行物に対する内容全体を纏めひとつのアプリケーションやホームページューアールエルを付けることにより、顧客が情報を多数求めるときに何回もリクエストを出さなくてもよくなり、他の広告や情報、また具体的に商品を説明してない広告や情報を推薦しやすいという進歩がある。
【００１０】  また第２の課題解決手段による作用は次の通りである。前期識別記号が広告媒体毎に異なるウェブページファイルの呼び出しを行えるユーアールにするのではなく、電子書籍や広告媒体の内容を一度より詳しく説明できるアプリケーションやホームページに飛ばすことによって、直接商品や情報を宣伝してない広告までアフィリエイト広告宣伝効果測定することを可能と出来る。また、ホームページやアプリケーションは同一のユーアールエルを持ってはいるが、購入フォームを送る際にどの広告から来たのかを判るように選ばせば、前期識別記号が広告媒体毎に異なるウェブページファイルの呼び出しを行えるユーアールエルに対応した記号であることを付けなくても良い、そしてすべての広告や情報の商品等販売装置、広告効果測定方法、印刷物、広告効果測定装置又はコンピュータプログラムを作ることが出来る。
【発明の効果】
【００１１】  上述したように本発明の電子商取引機能を有する電子書籍並びにコンピュータネットワークを利用したアフィリエイト広告効果測定方法は、商品説明を直接行っていない広告や情報も顧客に提供が出来るため広告効果測定方法の信憑性を高め、加えて従来のシステムより顧客が情報や商品、サービスを手に入れるのをスムーズかつ問題なく提供できるものとする。
【発明の実地するための最良の形態】
【００１２】  以下、本発明の実地の形態を図１〜図２に基づいて説明する。
【００１３】  まず、図１のように電子書籍又は発行物、出版物にアプリケーションやホームページューアールエルを付けた情報又はそれぞれを単体で顧客にダウンロードさせる。
【００１４】  次に顧客は図１のように、顧客の方からアプリケーションやホームページにアクセス出来る。アプリケーションやホームページは電子書籍又は発行物、出版物に対応しているので電子書籍などに含まれている情報、広告、サービスをより詳しく知る事が出来る。情報を知った上で顧客が購入を望むのなら、自らダウンロードしてもらい購入フォームを受け取る事が出来る。（図２）
【００１５】  購入フォームは、購入フォームに書かれた広告媒体の名前を識別し集計するソフトを通り、広告主に届く。広告主はフォームを確認し、顧客に商品、情報またはサービスを送るものとする。（図３）
【図面の簡単な説明】
【００１６】
【図１】本発明の電子商取引機能を有する電子書籍の方法
【図２】アプリケーションから購入フォームまでの流れ
【図３】コンピュータネットワークを利用した広告効果測定方法
【図１】
2006221592.tif 000003
【図２】
2006221592.tif 000004
【図３】
2006221592.tif 000005